(57)【要約】【課題】本発明は、使用が便利であるクラウド・コンピュータを提供する。【解決手段】本発明に係るクラウド・コンピュータは、ベース部材と、ベース部材に分離可能に接続されるホストと、ホストに設置されるバッテリーとを備え、ベース部材は、第１コネクタと、外部設備との接続に用いられる出力ポートとを含み、ホストは、制御チップと、制御チップに電気的に接続される記憶装置と、制御チップに電気的に接続され且つ第１コネクタとマッチングする第２コネクタとを含み、バッテリーは、制御チップに電気的に接続されて電力を提供する。【選択図】図１
2011258190.tif 000002
【特許請求の範囲】
【請求項１】
ベース部材と、
前記ベース部材に分離可能に接続されるホストと、
前記ホストに設置されるバッテリーと
を備え、
前記ベース部材は、第１コネクタと、外部設備との接続に用いられる出力ポートとを含み、
前記ホストは、制御チップと、前記制御チップに電気的に接続される記憶装置と、前記制御チップに電気的に接続され且つ前記第１コネクタとマッチングする第２コネクタとを含み、
前記バッテリーは、前記制御チップに電気的に接続されて電力を提供することを特徴とするクラウド・コンピュータ。
【請求項２】
前記ベース部材は、連接部と、前記連接部の一端から延伸されている支持部とを備え、
前記支持部には、前記ホストを部分的に収容する収容部が形成されており、
前記連接部には、前記出力ポートと、前記第１コネクタとが設置され、
前記第１コネクタは、前記収容部に収容されていることを特徴とする請求項１に記載のクラウド・コンピュータ。
【請求項３】
前記収容部の側壁には、ガイド溝が設置され、
前記ホストには、前記ガイド溝に結合するガイド突起が設置されていることを特徴とする請求項２に記載のクラウド・コンピュータ。
【請求項４】
前記ホストには、前記バッテリーを収納する収納部が形成されていることを特徴とする請求項１に記載のクラウド・コンピュータ。
【請求項５】
前記記憶装置は、前記制御チップが動作する時に生成される一時的なデータを一時的に記憶することを特徴とする請求項１に記載のクラウド・コンピュータ。
【請求項６】
前記ホストは、前記制御チップに電気的に接続され且つ音声及びデータ情報を伝送する通信モジュールをさらに備えることを特徴とする請求項１に記載のクラウド・コンピュータ。
【請求項７】
前記通信モジュールは、データの高速な伝送をサポートする３Ｇモジュールと、短距離の無線通信を行うブルートゥースモジュールとを含むことを特徴とする請求項６に記載のクラウド・コンピュータ。
【請求項８】
電話機器をさらに備え、
前記電話機器は、前記ホストの通信モジュールのブルートゥースモジュールとの協働によってダイアルアップし、さらに前記通信モジュールの３Ｇモジュールを通して通話機能を実施するブルートゥースモジュールを含むことを特徴とする請求項７に記載のクラウド・コンピュータ。
【請求項９】
前記ベース部材は、入力ポートをさらに含むことを特徴とする請求項１に記載のクラウド・コンピュータ。
【発明の詳細な説明】
【技術分野】
【０００１】
本発明は、クラウド・コンピュータに関するものである。
【０００２】
クラウド・コンピューティング（ｃｌｏｕｄ  ｃｏｍｐｕｔｉｎｇ）は、ベース・フレームワーク（Ｆｒａｍｅｗｏｒｋ）をシェア（ｓｈａｒｅ）する新興の方法である。前記クラウド・コンピューティングは、ネットワークによって巨大な計算処理プログラムを複数のサブプログラム（ｓｕｂｐｒｏｇｒａｍ）に自動的に分割してから、複数のサーバからなる巨大なシステムによって捜索及び計算分析した後、処理結果をユーザに伝送する。資源を提供するネットワークを“クラウド”という。これらの技術によって、数秒内で数万又は数億の情報を計算することができるから、その効能は“スーパーコンピュータ（ｓｕｐｅｒ  ｃｏｍｐｕｔｅｒ）”の性能に相当する。
【０００３】
ユーザが必要とする資源は、ユーザ端のコンピュータに存在せず、ネットワークから提供される。即ち、ネットワークによってユーザが必要とする計算力、メモリスペース（ｍｅｍｏｒｙ  ｓｐａｃｅ）、ソフトウェア機能及び情報サービス機能を提供するので、クラウド・コンピューティングによるユーザ端のコンピュータに対する要求が低く、インターネット接続可能なコンピュータだけで通常のコンピュータの各種の機能を実現することができる。従って、これらのコンピュータにハードディスク（Ｈａｒｄ  ｄｉｓｋ）、光学ドライブ（ｏｐｔｉｃａｌ  ｄｒｉｖｅ）などを設置する必要がなく、ユーザ端のコンピュータは薄型化、小型化されて、便利に携帯することができる。
【０００４】
しかし、従来の携帯型コンピュータにおいては、電源線、モニタへの接続線、キーボード線、ネットワークケーブルのような入力／出力線を前記携帯型コンピュータのホスト（ｈｏｓｔ）に接続して使用する。また、前記携帯型コンピュータのホストを携帯して移動する時には、前記入力／出力線を前記携帯型コンピュータのホストから分離しなければならないので、使用がとても不便である。
【発明の概要】
【発明が解決しようとする課題】
【０００５】
以上の問題点に鑑みて、本発明は、使用が便利であるクラウド・コンピュータを提供することを目的とする。
【課題を解決するための手段】
【０００６】
前記問題を解決するために、本発明に係るクラウド・コンピュータは、ベース部材と、前記ベース部材に分離可能に接続されるホストと、前記ホストに接続されるバッテリーとを備え、前記ベース部材は、第１コネクタと、外部設備との接続に用いられる出力ポートとを含み、前記ホストは、制御チップと、前記制御チップに電気的に接続される記憶装置と、前記制御チップに電気的に接続され且つ前記第１コネクタとマッチングする第２コネクタとを含み、前記バッテリーは、前記制御チップに電気的に接続されて電力を提供する。
【発明の効果】
【０００７】
本発明に係るクラウド・コンピュータを使用する時、ベース部材をオフィス又は他の場所に固定してから、ホストを第２コネクタと第１コネクタとの結合を通して前記ベース部材に接続させて使用する。入力ポート及び前記出力ポートが前記ベース部材に設置されているので、ユーザは前記ホストを前記ベース部材から分離させて携帯することができる。従って、前記クラウド・コンピュータに接続される複数の接続線（入力／出力線）を挿入又は抜き取る必要がなく、使用が便利である。
【図面の簡単な説明】
【０００８】
【図１】本発明に係るクラウド・コンピュータの組立図である。
【図２】図１に示したクラウド・コンピュータの分解図である。
【図３】図１に示したクラウド・コンピュータの他の視角からの分解図である。
【図４】本発明に係るクラウド・コンピュータのホストの回路のブロック図である。
【図５】本発明に係るクラウド・コンピュータに使用される電話機器を示す図である。
【発明を実施するための形態】
【０００９】
以下、図面に基づいて、本発明に係るクラウド・コンピュータについて詳細に説明する。
【００１０】
図１を参照すると、本発明に係るクラウド・コンピュータ１００は、ベース部材３０、ホスト５０及びバッテリー７０を備える。
【００１１】
図１乃至図３を参照すると、前記ベース部材３０は、連接部３２及び支持部３４を備える。前記連接部３２は、略柱形であり、その一端面には複数の入力ポート３２１が設置され、その他端面及び側面には複数の出力ポート３２３が設置されている。本実施形態において、前記入力ポート３２１は、前記ベース部材３０をネットワークに接続させるための通信ポート、前記ベース部材３０を外部の記憶装置、キーボード又はマウスに接続させるためのＵＳＢポートなどを含む。前記出力ポート３２３は、前記ベース部材３０を表示装置に接続させるための画像ポート、前記ベース部材３０を外部電源に接続させるための電源ポート（図２における側面の３２３）、声音を入力／出力するためのオーディオポートなどを含む。
【００１２】
前記支持部３４は、前記連接部３２の前記入力ポート３２１が設置されている一端から延伸されている。前記支持部３４には、前記ホスト５０を部分的に収容する収容部３４１が形成されている。前記収容部３４１は、前記支持部３４の前記連接部３２から離れている一端から前記連接部３２まで延伸されている。前記収容部３４１の側壁には、ガイド溝３４３が形成されている。前記ガイド溝３４３の延伸方向は前記収容部３４１の延伸方向と同じである。本実施形態において、前記ガイド溝３４３の数量は、２つである。即ち、前記収容部３４１の２つの側壁に、前記ガイド溝３４３がそれぞれに形成されている。
【００１３】
前記ベース部材３０は、第１コネクタ３６をさらに備える。本実施形態において、前記第１コネクタ３６は、前記収容部３４１の底面に当接するように前記連接部３２から前記収容部３４１の延伸方向へ突出される一方、前記収容部３４１内に収容されている。前記入力ポート３２１及び出力ポート３２３は、全て前記第１コネクタ３６に電気的に接続されている。
【００１４】
前記ホスト５０には、前記第１コネクタ３６とマッチングする第２コネクタ５２が設置されている。前記ホスト５０は、前記収容部３４１内に部分的に収容される。前記ホスト５０の前記第２コネクタ５２が設置されている一端の両側には、前記ガイド溝３４３に対応するガイド突起５４がそれぞれに設置されている。前記ホスト５０には、前記バッテリー７０を収納する収納部５６が形成されている。
【００１５】
図４を参照すると、前記ホスト５０は、制御チップ５８、記憶装置６１及び通信モジュール６３をさらに備える。前記第２コネクタ５２、前記記憶装置６１、前記通信モジュール６３及び前記バッテリー７０は、全て前記制御チップ５８に電気的に接続されている。前記制御チップ５８は、中央処理装置又はシステムオンチップ（ｓｙｓｔｅｍ  ｏｎ  ａ  ｃｈｉｐ）であることができる。前記制御チップ５８は、前記第２コネクタ５２及び前記入力ポート３２１を介して外部のネットワークに接続され、さらに前記ネットワークを介してクラウド・コンピューティングのサーバ（図示せず）に接続されて、前記クラウド・コンピューティングのサーバが提供するオペレーティングシステム（ｏｐｅｒａｔｉｎｇ  ｓｙｓｔｅｍ）及びアプリケーション（ａｐｐｌｉｃａｔｉｏｎ）を実行する。
【００１６】
前記記憶装置６１は、前記制御チップ５８が動作させるオペレーティングシステム及びアプリケーションにおける一時的なデータを一時的に記憶し、前記ホスト５０の識別情報、基本的な入力／出力システムのコードを記録するか、又はユーザの個人情報、文書などを記憶する。また、ユーザは、オペレーティングシステム及びアプリケーションを前記記憶装置６１にインストールして、前記制御チップ５８は、前記オペレーティングシステム及び前記アプリケーションを選択的に動作させることができる。
【００１７】
前記通信モジュール６３は、データの伝送を行う。前記通信モジュール６３は、３Ｇモジュール（ｔｈｉｒｄ−ｇｅｎｅｒａｔｉｏｎ  ｍｏｄｕｌｅ）、ブルートゥースモジュール（ｂｌｕｅｔｏｏｔｈ  ｍｏｄｕｌｅ）を含む。前記３Ｇモジュールは、データの高速の伝送をサポートして、前記クラウド・コンピュータ１００を携帯して移動する際、前記ホスト５０を前記ベース部材３０に接続させなくても、音声（通話）及びデータ情報（メール等）の伝送を行うようにする。前記ブルートゥースモジュールは、短距離の無線通信に用いられ、無線イヤホーン（ｅａｒｐｈｏｎｅ）、無線キーボード、携帯電話などのような外部設備と前記ホスト５０との間で情報を無線交換することに用いられる。
【００１８】
図５を参照すると、クラウド・コンピュータ１００は、電話機器９０をさらに備える。前記電話機器９０は、表示部９２、操作部９４及びブルートゥースモジュール（図示せず）を備える。前記電話機器９０は、その内部に設置されているブルートゥースモジュールと前記ホスト５０の通信モジュール６３のブルートゥースモジュールとの協働によってダイアルアップ（Ｄｉａｌ−ｕｐ）し、さらに前記通信モジュール６３の３Ｇモジュールを通して通話機能を実施する。
【００１９】
前記クラウド・コンピュータ１００を使用する時、前記ベース部材３０をオフィス又は他の場所に固定してから、前記ホスト５０を前記第２コネクタ５２と前記第１コネクタ３６との結合を通して前記ベース部材３０に接続させて使用する。前記入力ポート３２１及び前記出力ポート３２３が前記ベース部材３０に設置されているので、ユーザは前記ホスト５０を前記ベース部材３０から分離させて携帯することができる。従って、前記クラウド・コンピュータ１００に接続される複数の接続線（入力／出力線）を挿入又は抜き取る必要がなくて、使用が便利である。
【００２０】
前記ホスト５０に光学ドライブ、ハードディスクなどを設置する必要がなく、前記ホスト５０のアセンブリの数量が少ないので、前記ホスト５０の故障率を低減すると共に、前記ホスト５０は伝統的な卓上コンピュータ又はパソコンに比較して体積がずっと小さいので、携帯が便利である。従って、ユーザは前記ホスト５０を随時に携帯することができる。
【００２１】
前記バッテリー７０、前記通信モジュール６３及び電話機器９０が設置されることによって、ユーザが前記ホスト５０を携帯している時、通話を行うと共に、この時、前記ホスト５０は、前記バッテリー７０が前記制御チップ５８に電力を提供することによって、前記３Ｇモジュールを通してクラウド・コンピューティングのサーバに接続されてデータの交換を行うことができる。
【００２２】
前記ベース部材３０に前記ホスト５０を部分的に収容する収容部３４１を設置することによって、前記ホスト５０が前記ベース部材３０に接続された時、前記ベース部材３０が前記ホスト５０を支持して、前記第２コネクタ５２と前記第１コネクタ３６との結合のみによる破損を防止することができる。また、前記ホスト５０を前記ベース部材３０に接続させる時、前記ガイド突起５４が前記ガイド溝３４３に沿ってスライドするので、前記第２コネクタ５２と前記第１コネクタ３６との結合が容易になる。
【００２３】
以上、本発明の好適な実施例について詳細に説明したが、本発明は前記実施例に限定されるものではなく、本発明の範囲内で種々の変形又は修正が可能であり、該変形又は修正もまた、本発明の特許請求の範囲内に含まれるものであることは、いうまでもない。
【符号の説明】
【００２４】
１００  クラウド・コンピュータ
３０  ベース部材
３２  連接部
３２１  入力ポート
３２３  出力ポート
３４  支持部
３４１  収容部
３４３  ガイド溝
３６  第１コネクタ
５０  ホスト
５２  第２コネクタ
５４  ガイド突起
５６  収納部
５８  制御チップ
６１  記憶装置
６３  通信モジュール
７０  バッテリー
９０  電話機器
９２  表示部
９４  操作部
【図１】
2011258190.tif 000003
【図２】
2011258190.tif 000004
【図３】
2011258190.tif 000005
【図４】
2011258190.tif 000006
【図５】
2011258190.tif 000007